(57)【特許請求の範囲】
【請求項１】
縦張り式外壁用サイディングを躯体に取付ける取付け金具であって、
該取付け金具は、隣接するサイディングの各縦辺にそれぞれ係合する係合部を有すると共に、
サイディングを躯体に取付ける固定具を挿通する固定具挿通部を有し、
前記固定具挿通部の近傍に、前記固定具の頭部の当接部を有し、該当接部と前記固定具の頭部または固定具を通す介装部材の少なくともいずれかに傾斜面を形成し、
前記固定具挿通部は、前記当接部側に前記固定具の初期挿入時に挿入する初期挿入部を有し、その初期挿入部に連続する退避部を前記当接部の反対側に有すると共に、前記初期挿入部は前記固定具の位置決め用の初期挿入部の内方に突出した複数の突起を有し、
前記固定具の固定時に前記初期挿入部より固定具を挿入して、前記頭部または前記介装部材と前記当接部との傾斜面を介してのスライドにより取付け金具を移動させ、前記固定具は前記退避部側に相対的に移動し、先行サイディングに該取付け金具を押し付ける構造とした
ことを特徴とする縦張り式外壁用取付け金具。
【請求項２】
縦張り式外壁用サイディングおよび該サイディングを躯体に取付ける取付け金具を備え、
該取付け金具は、隣接するサイディングの各縦辺にそれぞれ係合する係合部を有すると共に、
サイディングを躯体に取付ける固定具を挿通する固定具挿通部を有し、
前記固定具挿通部の近傍に、前記固定具の頭部の当接部を有し、該当接部と前記固定具の頭部または固定具を通す介装部材の少なくともいずれかに傾斜面を形成し、
前記固定具挿通部は、前記当接部側に前記固定具の初期挿入時に挿入する初期挿入部を有し、その初期挿入部に連続する退避部を前記当接部の反対側に有すると共に、前記初期挿入部は前記固定具の位置決め用の初期挿入部の内方に突出した複数の突起を有し、
前記固定具の固定時に前記初期挿入部より固定具を挿入して、前記頭部または前記介装部材と前記当接部との傾斜面を介してのスライドにより取付け金具を移動させ、前記固定具は前記退避部側に相対的に移動し、先行サイディングに該取付け金具を押し付ける構造とした
ことを特徴とする外壁。
【請求項３】
縦張り式外壁用サイディングおよび該サイディングを躯体に取付ける取付け金具を備え、
該取付け金具には、サイディングを躯体に取付ける固定具を挿通する固定具挿通部を設け、
前記固定具挿通部の近傍に、前記固定具の頭部の当接部を設けると共に、該当接部と前記固定具の頭部または固定具を通す介装部材の少なくともいずれかに傾斜面を形成しておき、
前記固定具挿通部には、前記当接部側に前記固定具の初期挿入時に挿入する初期挿入部を設けると共に、その初期挿入部に連続する退避部を前記当接部の反対側に設け、かつ前記初期挿入部には前記固定具の位置決め用の初期挿入部の内方に突出した複数の突起を設けておき、
前記取付け金具に設けた一方の係合部を躯体に当てた先行サイディングの縦辺に係合させ、
前記取付け金具に設けた固定具挿通部の初期挿入部より固定具を挿通し、
前記固定具の頭部または固定具を挿通する介装部材を前記固定具挿通部の近傍の当接部に当て、該当接部と前記固定具の頭部または前記介装部材の少なくともいずれかに設けた傾斜面の作用により取付け金具を移動させ、前記固定具を前記退避部側に相対的に移動させ、先行サイディングに該取付け金具を押し付ける
ことを特徴とする外壁の施工方法。
【発明の詳細な説明】
【０００１】
【発明の属する技術分野】
本発明は、住宅用縦張り式外壁を施工するための取付け金具と外壁とその施工方法に関する。
【０００２】
【従来の技術】
サイディングを住宅の外壁として施工する場合、サイディングの長手方向を横向きにして施工する横張り方式と、サイディングの長手方向を縦向きにして施工する縦張り方式とがある。このうち、縦張り方式は、意匠上の要求などにより近年においては採用数が増加しつつあり、その一例が特許第２９４１２７１号公報に開示されている。このようなサイディングによる外壁施工の際には、施工の簡便化のため、サイディングを取付け金具を介して取付けることが行われる。
【０００３】
このような取付け金具によりサイディングを躯体に取付ける場合、従来は取付け金具を釘により躯体に斜め打ちにして、先行サイディングに取付け金具を押し付けることにより、サイディング間にガタが生じないように固定している。
【０００４】
【発明が解決しようとする課題】
サイディングを縦張り方式で取付ける躯体の外壁取付け部は、一般的には、柱および間柱の外面側に水切りシートを張り、その上に横胴縁を固定し、その上にサイディングを当てて取付け金具を固定する。この場合、サイディングのピッチを強度の大きい柱および間柱の間隔に合わせ、取付け金具を固定する釘を、横胴縁に貫通させ、さらに強度の大きい柱や間柱に釘を打ち込むことが好ましい。しかしながら、サイディングのピッチが柱および間柱の間隔と異なる場合も多々ある。この場合、胴縁は約１〜１．５ｃｍ程度の薄いものであるため、釘打ちの際に胴縁がバウンドするので、取付け金具をサイディングに確実に固定することができず、その結果、サイディング間にガタが生じてしまうという問題点がある。
【０００５】
本発明は、上記問題点に鑑み、縦張り方式外壁をサイディングにより施工する場合、サイディングをガタつきなく堅固に固定することができる取付け金具とこれを用いた外壁とその施工方法を提供することを目的とする。
【０００６】
【課題を解決するための手段】
請求項１の縦張り方式外壁用取付け金具は、縦張り式外壁用サイディングを躯体に取付ける取付け金具であって、
該取付け金具は、隣接するサイディングの各縦辺にそれぞれ係合する係合部を有すると共に、
サイディングを躯体に取付ける固定具を挿通する固定具挿通部を有し、
前記固定具挿通部の近傍に、前記固定具の頭部の当接部を有し、該当接部と前記固定具の頭部または固定具を通す介装部材の少なくともいずれかに傾斜面を形成し、
前記固定具挿通部は、前記当接部側に前記固定具の初期挿入時に挿入する初期挿入部を有し、その初期挿入部に連続する退避部を前記当接部の反対側に有すると共に、前記初期挿入部は前記固定具の位置決め用の初期挿入部の内方に突出した複数の突起を有し、
前記固定具の固定時に前記初期挿入部より固定具を挿入して、前記頭部または前記介装部材と前記当接部との傾斜面を介してのスライドにより取付け金具を移動させ、前記固定具は前記退避部側に相対的に移動し、先行サイディングに該取付け金具を押し付ける構造とした
ことを特徴とする。
【０００７】
請求項２の外壁は、縦張り式外壁用サイディングおよび該サイディングを躯体に取付ける取付け金具を備え、
該取付け金具は、隣接するサイディングの各縦辺にそれぞれ係合する係合部を有すると共に、
サイディングを躯体に取付ける固定具を挿通する固定具挿通部を有し、
前記固定具挿通部の近傍に、前記固定具の頭部の当接部を有し、該当接部と前記固定具の頭部または固定具を通す介装部材の少なくともいずれかに傾斜面を形成し、
前記固定具挿通部は、前記当接部側に前記固定具の初期挿入時に挿入する初期挿入部を有し、その初期挿入部に連続する退避部を前記当接部の反対側に有すると共に、前記初期挿入部は前記固定具の位置決め用の初期挿入部の内方に突出した複数の突起を有し、
前記固定具の固定時に前記初期挿入部より固定具を挿入して、前記頭部または前記介装部材と前記当接部との傾斜面を介してのスライドにより取付け金具を移動させ、前記固定具は前記退避部側に相対的に移動し、先行サイディングに該取付け金具を押し付ける構造とした
ことを特徴とする。
【０００８】
請求項３の外壁の施工方法は、縦張り式外壁用サイディングおよび該サイディングを躯体に取付ける取付け金具を備え、
該取付け金具には、サイディングを躯体に取付ける固定具を挿通する固定具挿通部を設け、
前記固定具挿通部の近傍に、前記固定具の頭部の当接部を設けると共に、該当接部と前記固定具の頭部または固定具を通す介装部材の少なくともいずれかに傾斜面を形成しておき、
前記固定具挿通部には、前記当接部側に前記固定具の初期挿入時に挿入する初期挿入部を設けると共に、その初期挿入部に連続する退避部を前記当接部の反対側に設け、かつ前記初期挿入部には前記固定具の位置決め用の初期挿入部の内方に突出した複数の突起を設けておき、
前記取付け金具に設けた一方の係合部を躯体に当てた先行サイディングの縦辺に係合させ、
前記取付け金具に設けた固定具挿通部の初期挿入部より固定具を挿通し、
前記固定具の頭部または固定具を挿通する介装部材を前記固定具挿通部の近傍の当接部に当て、該当接部と前記固定具の頭部または前記介装部材の少なくともいずれかに設けた傾斜面の作用により取付け金具を移動させ、前記固定具を前記退避部側に相対的に移動させ、先行サイディングに該取付け金具を押し付ける
ことを特徴とする。
このように、本発明においては、取付け金具の固定具挿通部の近傍の当接部と固定具の頭部の少なくともいずれかに傾斜面を設け、固定具による固定作業の際に、傾斜面のスライドにより、取付け金具が先行サイディング側に押されて取付け金具がサイディングに堅固に係合され、ガタの発生を防止することができる。
【０００９】
【発明の実施の形態】
図１は本発明による外壁の一実施の形態を示す正面図、図２、図３はそれぞれ本実施の形態の外壁の取付け構造を示す縦断面図、横断面図である。図１ないし図３において、１は柱、２は間柱、３は柱１および間柱２の室外側の面に張られた水切りシートである。４は柱１や間柱２に固定具５により固定された横胴縁である。６はサイディング、７はサイディングの取付け金具である。
【００１０】
取付け金具７は、図４（Ａ）の斜視図に示すように、先行サイディングの縦辺を把持するように係合する第一の係合部７ａと、次に施工するサイディング６の隣接する縦辺を把持するように係合する第二の係合部７ｂと、固定具８を挿通するための固定具挿通部７ｃとを有する。
【００１１】
図４（Ｂ）、図５（Ａ）に示すように、固定具挿通部７ｃの近傍、すなわち先行サイディング側には、固定具８の頭部８ａを当接させる傾斜面からなる当接部７ｄを有する。また、前記固定具挿通部７ｃは、固定具８による固定作業時に取付け金具７を固定具８に対してスライド可能な構造を有している。
【００１２】
前記固定具挿通部７ｃを固定具８に対して相対移動可能とするために、本実施の形態においては、前記固定具挿通部７ｃは、はじめに固定具８を挿通する際に固定具８の位置決め作用を果たすために、初期挿入部７ｅの穴の内方に突出させた複数（本例では３個）の突起７ｆを有する。また、初期挿入部７ｅの前記当接部７ｄの反対側となる側方には、固定具挿入時に固定具８に対して取付け金具７を移動可能にするための退避部７ｈを、初期挿入部７ｃに連続させて設けている。
【００１３】
この取付け金具７を用いてサイディング６の施工を行う場合、最初のサイディング６を、胴縁４に当て、その壁面の端側の縦辺を固定具または前記とは別の金具および固定具を用いて柱１などに固定する。この場合およびその後の作業においても、サイディング６の下端は躯体に固定される支持金具（図示せず）により支持される。
【００１４】
その後、図１ないし図３に示すように、先行施工されたサイディング６の施工進行方向（矢印９で示す）の前方の縦辺６ａを第一の係合部７ａによって把持係合させて第一の係合部７ａをサイディング６に対して押し付け、取付け金具７を胴縁４に当てる。前記第一の係合部７ａにより係合される縦辺６ａは、室外側が削除され、サイディング本体部の半分に近い厚みを有している。
【００１５】
次に取付け金具７の初期挿通部７ｅにねじでなる固定具８をセットし、電動式のインパクトレンジによりねじ込む。この際、突起７ｆが固定具８の位置決め作用をなし、固定具８の頭部８ａが当接部７ｄに当接しうる位置となるように位置決めされる。そして、固定具８のねじ込みにより、図５（Ａ）、（Ｂ）に示すように、固定具８の頭部８ａが傾斜した当接部７ｄに当接することにより、胴縁４に挿入されて移動が阻まれた固定具８に対し、取付け金具７が矢印１０で示すようにサイディング６に押し付けられ、固定具８は取付け金具７に対して相対的に移動して退避部７ｈに位置する。これにより、取付け金具７は、サイディング６に対してガタを無くした状態で係合される。特に固定具８がねじであれば、胴縁４の部分で取付け金具７を固定する場合においても、固定具８が連続的にねじ込まれるので、釘の打設のように胴縁４がバウンドすることなく、取付け金具７をサイディング６に押し付けながら堅固に固定することができる。
【００１６】
さらに、固定具８でサイディング６に取付け金具７を固定することにより固定した状態で、図２、図３に示すように、取付け金具７に設けた穴７ｉに釘またはねじからなる固定具１１を挿通して胴縁４さらには柱１もしくは間柱２に打ち込むことが可能であり、これにより取付け金具７が躯体により強固に固定される。
【００１７】
次に、図３に示すように、次に施工するサイディング（これを識別のために６Ａで示す）を側方からセットする。サイディング６、６Ａの施工方向（矢印９で示す）の後方となる縦辺６ｂは、室内側が削除され、サイディング本体部の半分に近い厚みを有している。また、サイディング６、６Ａの縦辺６ｂ近傍の室内側には、第二の係合部７ｂに係合させるため先行サイディング側に突出させた突起６ｃを有する。突起６ｃの外側の面６ｄは傾斜面に形成している。
【００１８】
このような構造のサイディング６Ａを矢印１３で示すように、第二の係合部７ｂに係合させることにより、次に施工するサイディング６Ａの端部を固定し、その後、サイディング６Ａの反対側の縦辺６ａを取付け金具７により固定する。隣接するサイディング６、６Ａの縦辺６ａ、６ｂは、両者間にシール材１４を挟んで内外方向に重ねられる。
【００１９】
なお、前記第二の係合部７ｂは、図４（Ａ）に示すように、取付け金具７の本体部７ｋから切り起こし状に形成され、立ち上げ部７ｍと、該立ち上げ部７ｍから曲成部７ｎを介して、上方向（下方向でもよい）に延出させたサイディングの突起６ｃ把持用の弾性片７ｐと、該弾性片７ｐの先端におけるサイディング呑み込み側の反対側を本体部７ｋ側に向けて曲成して形成したサイディング押圧部７ｑとからなる。弾性片７ｐは、先端のサイディング６Ａの突起６ｃの呑み込み側が広く開口されるように、本体部７ｋに対して斜めに形成されている。
【００２０】
このような第二の係合部７ｂの構造とすれば、図６（Ａ）、（Ｂ）、（Ｃ）に示すように、サイディング６Ａを矢印１５で示すように、取付け金具７へ向けて移動させて、突起６ｃを第二の係合部７ｂに係合する際に、サイディング６Ａの突起６ｃが弾性片７ｐと本体部７ｋとの間に挟まれ、弾性片７ｐが撓み、押圧部７ｑが突起６ｃの傾斜面６ｄに食い込みながらサイディング６Ａを矢印１６方向、すなわち本体部７ｋ側に押圧するので、サイディング６Ａの縦辺６ｂ側を取付け金具７にガタつき無く堅固に固定することができる。
【００２１】
本発明を実施する場合、図５（Ｃ）に示すように、固定具８の頭部８ａのねじ溝側に傾斜面８ｂを形成し、取付け金具７の当接部７ｒは垂直に形成するか、あるいはわずかに傾斜させた構造にしてもよい。この図５（Ｃ）の場合、固定具８による取付け金具７の固定の際、固定具８の頭部８ａの傾斜面８ｂが当接部７ｒの縁部に当たることにより、取付け金具７が固定具８により押されて移動する。
【００２２】
図７（Ａ）は取付け金具７を移動させるための他の構造例を示すものであり、固定具８を嵌める介装部材１７に傾斜面１７ａを形成し、固定具８の挿入時に該傾斜面１７ａを前記当接部７ｄに当接させることにより、取付け金具７をサイディング６側に移動させる構造としたものである。この場合、当接部７ｄは必ずしも傾斜面に形成する必要はないが、多少の傾斜面とすることにより、成形は容易となる。
【００２３】
図７（Ｂ）は固定具８を嵌める介装部材１８に傾斜面を形成せず、当接部７ｄに傾斜面を形成して、固定具８の挿入時に介装部材１８の底部の周縁を当接部７ｄの傾斜面に当接させることにより、取付け金具７をサイディング６側に移動させる構造としたものである。
【００２４】
図７（Ｃ）は固定具挿通部７ｃの他の例を示すもので、退避部７ｈと初期挿入部７ｅとの間に、初期挿入部７ｅを形成する開口円７ｖに沿う弧状の形状を有するガイド片７ｔを介在させ、開口円７ｖから内方に突出するガイド用の複数の突起７ｆを形成したものである。
【００２５】
ここで、前記弧状のガイド片７ｔで区画される初期挿入部７ｅが退避部７ｈよりも広くなるように形成することにより、誤って作業者が退避部７ｈ側に固定具８に挿入することが防止することができる。
【００２６】
また、ガイド片７ｔは、その先端が、固定具８にねじを用いた場合におけるねじの回転方向（矢印１９で示す時計回り方向）の前方に位置するので、ねじを回しながら挿入する際に、ガイド片７ｔを伸ばすようにねじが力を加えるため、ねじ回しが容易となる。なお、この場合、ガイド片７ｔの内縁で形成される円は、３本の突起７ｆの内接円７ｕより大きくなるように形成することにより、固定具の位置決め作用と前記ガイド片７ｔによるガイド作用が円滑になされる。
【００２７】
本発明を実施する場合、柱１、間柱２、水切りシート３、胴縁４等からなる躯体構造や、サイディング６および取付け金具７並びに係合部７ａ、７ｂ、固定具挿通部７ｃ、固定具８の具体的構造や組み合わせについては、種々の変更、付加が可能である。
【００２８】
【発明の効果】
本発明によれば、取付け金具の固定具挿通部の近傍に、固定具の頭部の当接部を有し、該当接部と前記固定具の頭部または固定具を通す介装部材の少なくともいずれかに傾斜面を形成して、該固定具の固定時における前記傾斜面スライドにより取付け金具を先行サイディングに押し付けるようにしたので、サイディングをガタつきなく、躯体に堅固に固定することができる。
【図面の簡単な説明】
【図１】本発明による外壁の一実施の形態を示す正面図である。
【図２】本実施の形態の外壁の取付け構造を示す縦断面図である。
【図３】本実施の形態の外壁の取付け構造を示す横断面図である。
【図４】（Ａ）は本実施の形態の取付け金具を示す斜視図、（Ｂ）はその固定具挿通部を示す正面図である。
【図５】（Ａ）、（Ｂ）は本実施の形態の取付け金具の作用を説明する断面図、（Ｃ）は本発明の他の実施の形態を示す断面図である。
【図６】（Ａ）〜（Ｃ）は本実施の形態の取付け金具の作用説明図である。取付け金具７を移動させるための他の構造例を示す
【図７】（Ａ）、（Ｂ）は本発明の取付け金具を移動させるための他の構造例を示す断面図、（Ｃ）は本発明の固定具挿入部の他の例を示す図である。
【符号の説明】
１：柱、２：間柱、３：水切りシート、４：横胴縁、５：固定具、６、６Ａ：サイディング、６ａ、６ｂ：縦辺、６ｃ：突起、６ｄ：傾斜面、７：取付け金具、７ａ：第一の係合部、７ｂ：第二の係合部、７ｃ：固定具挿通部、７ｄ：当接部、７ｅ：初期挿入部、７ｆ：突起、７ｈ：退避部、８：固定具、８ａ：頭部、８ｂ：傾斜面、１１：固定具、１４：シール材
【図１】
0003759370.tif 000002
【図２】
0003759370.tif 000003
【図３】
0003759370.tif 000004
【図４】
0003759370.tif 000005
【図５】
0003759370.tif 000006
【図６】
0003759370.tif 000007
【図７】
0003759370.tif 000008